(57)【要約】【課題】  鉛直方向に配置された巻き取り軸１３にシャッタ１を巻き取る、横開き式の構造で、このシャッタ１により窓開口４を開閉する為に要する力の軽減を図る。【解決手段】  上記巻き取り軸１３に、人手により戸袋ケース部２内に押し込まれた上記シャッタ１を巻き取れるだけの大きさの弾力を付与する。又、下部ガイド溝の端部に、このシャッタ１の下端縁を支承する為の支承ローラを設ける。この構成により、上記戸袋ケース部２から上記シャッタ１を引き出す際に要する力も、この戸袋ケース部２内にシャッタ１を押し込む際に要する力も、何れも小さくできる。【選択図】  図２
2006132269.tif 000002
【特許請求の範囲】
【請求項１】
建造物の外壁面のうちでこの建造物に設けられた開口部の側方部分に設けられた戸袋ケース部と、この戸袋ケース部内に鉛直方向に配置されてこの戸袋ケース部内で回転する巻き取り軸と、それぞれが縦方向に長い短冊状に形成された複数枚のスラットの幅方向端縁同士を揺動変位自在に結合して成り、上記巻き取り軸への巻き取り及びこの巻き取り軸からの引き出しを自在とされたシャッタと、上記外壁面の一部に上記開口部の上辺に沿って設けられた、下面にこのシャッタの上端部を案内する為の上部ガイド溝を設けた上枠と、上記外壁面の一部に上記開口部の下辺に沿って設けられた、上面に上記シャッタの下端部を案内する為の下部ガイド溝を設けた下枠とを備えたシャッタ式雨戸装置に於いて、上記巻き取り軸と上記戸袋ケース部との間にゼンマイを設け、この巻き取り軸に、上記シャッタを巻き取る方向の弾力を付与しており、このゼンマイの弾力を、上記上部ガイド溝と上記下部ガイド溝との間に存在する上記シャッタを自動的に巻き取る事はできないが、このシャッタが上記巻き取り軸に向け押された場合に、このシャッタをこの巻き取り軸に緩みなく巻き取れる大きさに規制している事を特徴とするシャッタ式雨戸装置。
【請求項２】
下部ガイド溝の底面で戸袋ケース部に隣接する部分に、屋内外方向に配置された枢軸を中心として回転する支承ローラを設け、この支承ローラにより、上記戸袋ケース部と下枠との間を移動するシャッタの下端縁を案内する、請求項１に記載したシャッタ式雨戸装置。
【請求項３】
巻き取り軸の下端部にフランジ部を設けて、シャッタの下端縁をこの巻き取り軸に巻き取られた状態でこのフランジ部の上面に当接させ、支承ローラの上端部を、このフランジ部の上面の位置と同じか、この上面の位置よりも上方に位置させている、請求項２に記載したシャッタ式雨戸装置。
【発明の詳細な説明】
【技術分野】
【０００１】
この発明は、一般住宅等の建造物の窓開口（腰窓及び掃き出し窓を含む＝特許請求の範囲に記載した開口部）を開閉する為のシャッタ式雨戸装置の改良に関し、開閉作業に要する力を小さくできる構造を提供するものである。
【背景技術】
【０００２】
それぞれが短冊状に形成された複数枚のスラットの幅方向端縁同士を揺動変位自在に結合して成り、巻き取り軸への巻き取り及びこの巻き取り軸からの引き出しを自在としたシャッタを使用した雨戸装置が、一部で使用されている。但し、雨戸装置として使用されているシャッタ装置の多くは、建造物の外壁面のうちで上記窓開口の上側部分に巻き取り軸を、水平方向に設けた構造を有する。窓開口を開放する場合には、上記シャッタを上方に巻き上げ、この窓開口を下側から順番に解放する。この様な従来から広く使用されているシャッタ式雨戸装置の場合には、例えば日差しの方向等に応じて、窓開口の水平方向の一部のみ解放しておく事はできない。
【０００３】
これに対して特許文献１には、横開き式のシャッタ式雨戸装置が記載されている。このシャッタ式雨戸装置は、戸袋ケース部と、巻き取り軸と、シャッタと、上枠と、下枠とを備える。このうちの巻き取り軸は、この戸袋ケース部内に回転自在に設置されて、建造物の外壁面のうちでこの建造物に設けられた窓開口（開口部）の側方部分に、鉛直方向に配置されている。又、上記シャッタは、それぞれが縦方向に長い短冊状に形成された複数枚のスラットの幅方向端縁同士を、揺動変位自在に結合して成り、上記巻き取り軸への巻き取り及びこの巻き取り軸からの引き出しを自在とされている。又、上記上枠は、上記外壁面の一部に上記開口部の上辺に沿って設けられたもので、下面にこのシャッタの上端部を案内する為の上部ガイド溝を設けている。又、上記下枠は、上記外壁面の一部に上記開口部の下辺に沿って設けられたもので、上面に上記シャッタの下端部を案内する為の下部ガイド溝を設けている。
【０００４】
この様なシャッタ式雨戸装置の場合には、上記窓開口の開閉、即ち、上記巻き取り軸からの上記シャッタの引き出し、及びこの巻き取り軸へのシャッタの巻き取りを、何れも軽い力で行なえる様にする必要がある。この様な点に就いて、上記特許文献１には特に記載されていない。一方、上記窓開口の上側部分に巻き取り軸を設けた、巻き上げ式のシャッタ式雨戸装置の場合には、この巻き取り軸にシャッタの重量を支える程度の（比較的大きな）弾力を付与している。
【０００５】
この為、この構造をそのまま横開き式のシャッタ式雨戸装置に適用すると、上記シャッタを巻き取る方向の弾力が大きくなり過ぎる。そして、このシャッタを窓開口を閉鎖する方向に移動させる（上記巻き取り軸から引き出す）為に要する力が徒に大きくなるだけでなく、窓開口の一部のみを塞ぐべく、上記シャッタを途中で停止させる事ができない。これに対して、上記シャッタを巻き取る方向の弾力をなくせば、このシャッタを窓開口を閉鎖する方向に移動させる為に要する力を小さくできる他、窓開口の一部のみを塞ぐべく、上記シャッタを途中で停止させる事も可能になる。但し、この場合には、このシャッタを上記巻き取り軸を設けた戸袋ケース部内に押し込んでも、このシャッタがこの戸袋ケース部の内面に押し付けられるだけで、上記巻き取り軸に巻き取られなくなる。
【０００６】
【特許文献１】特開２００２−３６４２６５号公報
【発明の開示】
【発明が解決しようとする課題】
【０００７】
本発明は、上述の様な事情に鑑みて、巻き取り軸からのシャッタの引き出し、及びこの巻き取り軸へのシャッタの巻き取りを、何れも軽い力で行なえ、しかもこのシャッタを途中で停止できるシャッタ式雨戸装置を実現すべく発明したものである。
【課題を解決するための手段】
【０００８】
本発明のシャッタ式雨戸装置は、前述の特許文献１に記載されて従来から知られているシャッタ式雨戸装置と同様に、戸袋ケース部と、巻き取り軸と、シャッタと、上枠と、下枠とを備える。
このうちの戸袋ケース部は、建造物の外壁面のうちでこの建造物に設けられた開口部の側方部分に設けられる。
又、上記巻き取り軸は、上記戸袋ケース部内に鉛直方向に配置されて、この戸袋ケース部内で回転する。
又、上記シャッタは、それぞれが縦方向に長い短冊状に形成された複数枚のスラットの幅方向端縁同士を揺動変位自在に結合して成り、上記巻き取り軸への巻き取り及びこの巻き取り軸からの引き出しを自在とされている。
又、上記上枠は、上記外壁面の一部に上記開口部の上辺に沿って設けられており、下面に上記シャッタの上端部を案内する為の上部ガイド溝を設けている。
更に、上記下枠は、上記外壁面の一部に上記開口部の下辺に沿って設けられており、上面に上記シャッタの下端部を案内する為の下部ガイド溝を設けている。
特に、本発明のシャッタ式雨戸装置に於いては、上記巻き取り軸と上記戸袋ケース部との間にゼンマイを設け、この巻き取り軸に、上記シャッタを巻き取る方向の弾力を付与している。そして、このゼンマイの弾力を、上記上部ガイド溝と上記下部ガイド溝との間に存在する上記シャッタを自動的に巻き取る事はできないが、このシャッタが上記巻き取り軸に向け押された場合に、このシャッタをこの巻き取り軸に緩みなく巻き取れる大きさに規制している。尚、緩みなく巻き取れるとは、上記シャッタのうちで内径側に存在する部分（巻き取り軸に近い側）の外周面と、外径側に存在する部分（巻き取り軸から遠い側）の内周面とが接触する状態で巻き取れる状態を言う。
【発明の効果】
【０００９】
上述の様に構成する本発明のシャッタ式雨戸装置の場合には、巻き取り軸からのシャッタの引き出し、及び、この巻き取り軸へのシャッタの巻き取りを、何れも軽い力で行なえ、しかもこのシャッタを途中で停止できる。
即ち、ゼンマイにより上記巻き取り軸に付与している巻き取り方向の弾力は、上部ガイド溝と下部ガイド溝との間に存在する上記シャッタを自動的に巻き取る事はできない程度に小さい。従って、上記ゼンマイの存在に基づき、上記巻き取り軸からのシャッタの引き出しに要する力の増大は限られたもので済み、開口部（窓開口）を塞ぐべく、このシャッタを引き出す為に要する力が軽くて済む。又、上記巻き取り軸から引き出したシャッタを、途中で停止させる事もできる。
【００１０】
一方、上記シャッタを戸袋ケース部に向け押し込むと、このシャッタが、上記ゼンマイの弾力により、上記巻き取り軸に巻き取られる。このシャッタをこの巻き取り軸に向け、上記戸袋ケース部内に押し込む作業は、人手により行なう為、上記ゼンマイの弾力により上記シャッタを上部、下部両ガイド溝同士の間部分から引き戻す必要はない。従って、上記ゼンマイの弾力が小さくても、上記シャッタを上記巻き取り軸の周囲に、緩みなく、確実に巻き取れる。この為、人手により上記戸袋ケース部内に押し込まれたシャッタの外周面が、この戸袋ケース部の内面に擦れ合う事を確実に防止して、このシャッタをこの戸袋ケース部内に押し込みつつ、このシャッタを開口部を解放する方向に移動させる作業を、軽い力で行なえる。
【発明を実施するための最良の形態】
【００１１】
本発明を実施する場合に好ましくは、請求項２に記載した様に、下部ガイド溝の底面で戸袋ケース部の底板部に隣接する部分に、屋内外方向に配置された枢軸を中心として回転する支承ローラを設ける。そして、この支承ローラにより、上記戸袋ケース部と下枠との間を移動するシャッタの下端縁を案内する。
この場合に、例えば請求項３に記載した様に、巻き取り軸として、その下端部にフランジ部が設けられたものを使用し、上記シャッタの下端縁を、上記巻き取り軸に巻き取られた状態でこのフランジ部の上面に当接させる。この場合に、上記支承ローラの上端部を、このフランジ部の上面の位置と同じか、この上面の位置よりも上方に位置させる。
この様に構成すれば、上記戸袋ケース部内にシャッタを出し入れする際に、このシャッタの下端縁と、例えばフランジ部の外周縁等の他の部分とが擦れ合う事を防止して、このシャッタを上記戸袋ケース部内に出し入れする際の摩擦抵抗を低減できる。この結果、このシャッタをこの戸袋ケース部内に出し入れする為に要する力を、より一層低減できる。
【実施例】
【００１２】
図１〜１９は、本発明の実施例を示している。先ず図１は、本発明のシャッタ式雨戸装置を、１対のシャッタ１、１を閉鎖位置にまで移動して窓開口を閉鎖した状態で、屋外側から見た正面図である。上記シャッタ式雨戸装置は、それぞれが上記両シャッタ１、１を収納する為の戸袋ケース部２、２を有する。これら両戸袋ケース部２、２は、それぞれ鉛直方向に配置した状態で、建造物の壁３の外壁面で、この壁３に形成した窓開口４（図２、４参照）の両側部分に支持固定している。又、上記両戸袋ケース部２、２の上端の互いに対向する側面同士の間に上枠５を、同じく下端の互いに対向する側面同士の間に下枠６を、それぞれ掛け渡す様に、互いに平行に、水平方向に設けている。
【００１３】
上記両シャッタ１、１はそれぞれ、鉛直方向に長い短冊状のスラット７、７を揺動変位自在に結合して成る。これら各スラット７、７は、アルミニウム合金或いは硬質合成樹脂を射出成形して成る長尺材を所定長さに切断して互いに同じ長さ寸法を有する定尺材を得、更にこの定尺材の中間部上下両端近傍部分に、それぞれ上部ガイド切り欠き８と下部ガイド切り欠き９（図４参照）とを形成して成る。この様にして得た上記各スラット７、７の幅方向（図２〜３の左右方向）両端縁部には、それぞれ屋内側（図２〜３の下側）に折れ曲がった折れ曲がり板部１０ａ、１０ｂを形成している。そして、一端縁（図２〜３の右側のシャッタ１を構成する各スラット７、７の左端縁、左側のシャッタ１の場合は右端縁）側の折れ曲がり板部１０ａの屋外側端縁から、先端縁に向かう程屋内側に向かう方向に回り込んだ屋外側係合湾曲部１１を、上記折れ曲がり板部１０ａよりも幅方向に突出する状態で形成している。これに対して、他端縁（図２〜３の右側のシャッタ１の場合の右端縁、左側のシャッタ１の場合の左端縁）側の折れ曲がり板部１０ｂの屋内側端縁から、先端縁に向かう程屋外側に向かう方向に回り込んだ屋内側係合湾曲部１２を、上記折れ曲がり板部１０ｂから幅方向に突出する状態で形成している。
【００１４】
そして、隣り合うスラット７、７同士の間で、上記屋内側係合湾曲部１２と上記屋外側係合湾曲部１１とを係合させる事により、上記隣り合うスラット７、７同士を、揺動変位自在に連結している。尚、この様にして連結したスラット７、７は、図２〜３に示す状態よりもシャッタ１の屋内面側（図２〜３の下面側）が凹面となる方向には揺動するが、この屋内面側が凸面となる方向に揺動する事はない。この様に屋内面側が凸面となる方向への揺動は、隣り合うスラット７、７の一端縁に形成した屋外側係合湾曲部１１の基部と、同じく他端縁に形成した上記折れ曲がり板部１０ｂとの衝合により阻止する。
【００１５】
上述の様に複数枚のスラット７、７を揺動変位自在に結合して成る上記両シャッタ１、１の基端縁は、それぞれ前記両戸袋ケース部２、２内に設けた巻き取り軸１３に結合し、前記窓開口４を解放する際に、この巻き取り軸１３に巻き取る様にしている。本実施例の場合、この巻き取り軸１３は、これら両戸袋ケース部２、２の上下両端部に、両戸袋ケース部２、２毎に互いに同心に設けた１対の軸素子１３ａ、１３ｂとドラムチューブ５９とにより構成している。上記両シャッタ１、１は、それぞれの基端縁を構成するそれぞれ１枚のスラット７を、図６に示す様に、何れかの戸袋ケース部２内に回転自在に設けた上記両軸素子１３ａ、１３ｂにその両端部を外嵌固定したドラムチューブ５９に、ねじ１４により結合固定している。
【００１６】
この様な巻き取り軸１３を構成する上記両軸素子１３ａ、１３ｂのうち、少なくとも一方の軸素子（一方にのみ設ける場合には、通常は上側の軸素子１３ａ）と上記戸袋ケース部２との間には、図５、７に示す様に、ゼンマイ１５を設け、上記巻き取り軸１３に、上記シャッタ１を巻き取る方向の弾力を付与している。但し、この弾力は、このシャッタ１を自動的に巻き取る程大きなものではない。即ち、人がこのシャッタ１の先端縁を上記戸袋ケース部２に向けて押した場合に、このシャッタ１を上記巻き取り軸１３に巻き取る程度の大きさに規制している。尚、上記両軸素子１３ａ、１３ｂの中間部で、上記巻き取り軸１３に巻き取られたシャッタ１を上下から挟む位置に、それぞれフランジ部１６、１６を設けている。又、少なくとも下側（図示の例では両側）の軸素子１３ｂと上記戸袋ケース部２との間に、ラジアル転がり軸受１７とスラスト転がり軸受１８とを設け、上記巻き取り軸１３の回転抵抗の低減を図っている。尚、図示の例では、これら両軸受１７、１８を、上記戸袋ケース部２内に収納する、上部ブラケット２０と上記軸素子１３ａとの間、及び、下部ブラケット２１と上記軸素子１３ｂとの間に設けている。
【００１７】
上記ゼンマイ１５を設ける為に、上記軸素子１３ａの一部で、上記フランジ部１６よりも上記シャッタ１と反対側に突出した部分に、図９に示す様に、上記ゼンマイ１５の一端部を係止する為の係止スリット１９、１９を設けている。図９に係止スリット１９、１９が２個所設けられているのは、左右の戸袋ケース部２、２同士の間で（或いは戸袋ケース部２の上下で）部品を共通化する為である。一方、上記ゼンマイ１５の他端部を係止する為に、上記軸素子１３ａ（１３ｂ）を枢支する、上記上部ブラケット２０の下面（図示の場合には、及び下部ブラケット２１の上面）に、係止突片２２を突設している。上記ゼンマイ１５は、その両端部を上記係止スリット１９とこの係止突片２２とに係止している。そして、上記両軸素子１３ａ、１３ｂから成る上記巻き取り軸１３から上記シャッタ１を引き出した場合に上記ゼンマイ１５が巻かれ、この巻き取り軸１３に、このシャッタ１を巻き取る方向の弾力を付与する様にしている。尚、上記ゼンマイ１５により上記巻き取り軸１３に付与している巻き取り方向の弾力は、上記戸袋ケース部２内に押し込まれた上記シャッタ１を、隙間なく巻き取るのに十分な値に設定している。但し、上記弾力は、次述する上部ガイド溝２３と下部ガイド溝２６との間に存在する上記シャッタ１を自動的に巻き取る事はできない程度に小さい値に設定している。
【００１８】
上記両シャッタ１、１を構成する各スラット７、７の上端部は、図４に示す様に、前記上枠５の下面に形成した上部ガイド溝２３に、摺動自在に係合させている。即ち、上記各スラット７、７の上端部をこの上部ガイド溝２３に挿入した状態で、この上部ガイド溝２３の屋内側面に突設した上部ガイド突条２４を、上記各スラット７、７の上端部屋内側面に形成した、前記上部ガイド切り欠き８に、緩く係合させている。又、上記上部ガイド溝２３の屋外側面に係止した上部シール材２５を上記各スラット７、７の上部屋外側面に摺接させている。又、上記各スラット７、７の下端部は、前記下枠６の上面に形成した下部ガイド溝２６に、摺動自在に係合させている。即ち、上記各スラット７、７の下端部を、この下部ガイド溝２６に挿入した状態で、この下部ガイド溝２６の屋内側面に突設した下部ガイド突条２７を、上記各スラット７、７の下端部屋内側面に形成した、前記下部ガイド切り欠き９に、緩く係合させている。又、上記下部ガイド溝２６の屋外側面に係止した下部シール材２８を上記各スラット７、７の下部屋外側面に摺接させている。尚、上記上部、下部両シール材２５、２８は、摩擦係数の小さい弾性材を使用するか、表面に摩擦係数の低い皮膜を形成して、上記各スラット７、７の移動に対する抵抗を低く抑えられる様にしている。
【００１９】
上述の様な構成により、前記各戸袋ケース部２、２内の巻き取り軸１３から、上記上枠５と上記下枠６との間に上記シャッタ１を引き出して、前記窓開口４を塞いだり、或いは、この窓開口４を塞いだこのシャッタ１を上記各戸袋ケース部２、２内に押し込んで、上記巻き取り軸１３に巻き取れる。この様にして上記窓開口４を開閉すべく、上記シャッタ１を上記上枠５と上記下枠６との間に出し入れする為に要する力は、小さくて済む。
【００２０】
即ち、前記ゼンマイ１５により上記巻き取り軸１３に付与している、巻き取り方向の弾力は、前述した様に小さいので、上記ゼンマイ１５の存在に基づく、上記巻き取り軸１３からの上記シャッタ１の引き出しに要する力の増大は限られたもので済み、上記窓開口４を塞ぐべく、このシャッタ１を引き出す為に要する力が軽くて済む。又、上記ゼンマイ１５に基づく巻き取り方向の弾力は、上記シャッタ１を、その上下両端部と前記上部、下部両ガイド溝２３、２６部分との係合部に作用する摩擦力に打ち勝って上記シャッタ１を巻き取る程大きくはない。従って、上記巻き取り軸１３から引き出したこのシャッタ１を、上記上枠５及び上記下枠６の水平方向中間部で停止させる事もできる。
【００２１】
一方、上記シャッタ１を上記戸袋ケース部２に向け押し込むと、このシャッタ１が、上記ゼンマイ１５の弾力により、上記巻き取り軸１３に巻き取られる。このシャッタ１をこの巻き取り軸１３に向け、上記戸袋ケース部２内に押し込む作業は、人手により行なう為、上記ゼンマイ１５の弾力により、上記シャッタ１を上部、下部両ガイド溝２３、２６同士の間部分から引き戻す必要はない。従って、上記ゼンマイ１５の弾力が小さくても、上記シャッタ１を上記巻き取り軸１３の周囲に、緩みなく、確実に巻き取れる。この為、人手により上記戸袋ケース部２内に押し込まれたシャッタ１の外周面が、この戸袋ケース部２の内面に擦れ合う事を確実に防止して、このシャッタ１をこの戸袋ケース部２内に押し込みつつ、このシャッタ１を前記窓開口４を解放する方向に移動させる作業を、軽い力で行なえる。
【００２２】
何れにしても、上述の様にして上記窓開口４を開閉する際には、上記シャッタ１の引き出し方向先端部を押し引きする必要がある。この為に、このシャッタ１の先端部に、この押し引き作業の際の手掛かりとなる移動框２９を設けている。
本実施例の場合には、上記シャッタ１を構成する上記各スラット７、７として、図２〜３に示す様な、それぞれの屋内側面の幅方向両端寄りの２個所位置に、それぞれが上記シャッタ１の移動方向（図２〜３の左右方向）に開口した係止凹溝３０ａ、３０ｂを形成したものを使用している。上記各スラット７、７の両端部に形成した係止凹溝３０ａ、３０ｂが開口している方向は互いに逆方向であり、図示の例では、これら両係止凹溝３０ａ、３０ｂを、互いに対向する状態で形成している。又、本実施例の場合には、上記移動框２９は、主体３１と補助体３２とをねじ３３により結合固定して成る。これら主体３１及び補助体３２はそれぞれ、上記各スラット７、７と同様に、アルミニウム合金或いは硬質合成樹脂等の押出型材により造っている。
【００２３】
そして、このうちの主体３１の屋外側端部に形成した第一の係止突条３４の先端部に形成したＬ字形の鉤部を、上記シャッタ１の引き出し方向先端に位置するスラット７の屋内側面に形成した１対の係止凹溝３０ａ、３０ｂのうちの一方（図示の例では引き出し方向に関して後側）の係止凹溝３０ａに係止している。又、上記補助体３２の屋外側端部に形成した第二の係止突条３５の先端部に形成したＬ字形の鉤部を他方（図示の例では引き出し方向前側）の係止凹溝３０ｂに係止している。上記主体３１と上記補助体３２とは、この様に、上記第一、第二両係止突条３４、３５の鉤部を上記両係止凹溝３０ａ、３０ｂに係止した状態で、上記ねじ３３により互いに結合し、上記シャッタ１の引き出し方向先端に位置するスラット７の屋内側面に結合固定している。本実施例の場合には、この様な構成を採用する事により、上記移動框２９を上記引き出し方向先端に位置するスラット７に対し、容易にしかも強固に結合固定できる様にしている。
【００２４】
本実施例の場合には、上述の様な構成により、上記両シャッタ１、１を閉鎖位置に移動させた状態では、これら両シャッタ１、１を前記上枠５及び下枠６に沿って移動させる際の手掛かりとなる上記移動框２９が、図１に示す様に、屋外側に露出しなくなる。この為、閉鎖状態で屋外から見た場合の意匠をすっきりとした良好なものにできるだけでなく、屋外側から上記両シャッタ１、１を解放する為の手掛かりを少なくして、これら両シャッタ１、１を屋外側からこじ開けにくくでき、防犯の面からも好ましくなる。
【００２５】
又、図示の実施例の場合には、上記主体３１の屋外側端部で、上記シャッタ１の引き出し方向後側部分に、第三の係止突条３６を設けている。そして、この第三の係止突条３６を、上記シャッタ１の引き出し方向先端に位置するスラット７の隣に位置する第二のスラット７の屋内側面に形成した１対の係止凹溝３０ａ、３０ｂのうち、上記引き出し方向先端側に位置するスラット７から遠い側（戸袋ケース部２側）に存在する係止凹溝３０ａと係合させている。従って、図示の実施例の場合に、上記主体３１と上記補助体３２とから成る上記移動框２９は、上記シャッタ１の引き出し方向先端部に存在する２枚のスラット７、７に掛け渡される状態で、これら両スラット７、７に対し結合固定されている。
【００２６】
本実施例の場合には、上述の様な構成を採用する事により、上記移動框２９に手を掛けて、上記シャッタ１の前記巻き取り軸１３への巻き取り及びこの巻き取り軸１３からの引き出しを行なう際に於ける、上記移動框２９の移動に対する抵抗を小さく抑えられる様にしている。即ち、上記各スラット７、７の上下両端部に設けた前記上部、下部両切り欠き８、９が係合している、前記上部ガイド溝２３及び下部ガイド溝２６の幅寸法は、上記シャッタ１の移動を可能とすべく、上記各スラット７、７の上下両端部で上記上部、下部両切り欠き８、９を形成した部分の厚さ寸法よりも少し大きくしている。又、上記移動框２９は、上記シャッタ１（スラット７、７）よりも屋内側に突出する状態で設けられているので、この移動框２９に手を掛けてこのシャッタ１を押し引きすると、この移動框２９を固定したスラット７、７に、鉛直軸を中心に回転する方向のモーメントが加わる。
【００２７】
従って、上記移動框２９に手を掛けて上記引き出し方向先端に位置するスラット７を押し引きすると、このスラット７の幅方向が上記両ガイド溝２３、２６の長さ方向に対し傾斜する傾向になる。そして、この傾斜角度が大きくなると、上記スラット７の上下両端部が上記両ガイド溝２３、２６の内側面同士の間で突っ張る傾向が強くなり、これらスラット７の上下両端部と両ガイド溝２３、２６の内側面との間に作用する摩擦が大きくなって、上記移動框２９を移動させる為に要する力が大きくなる。これに対して、図示の実施例の場合には、隣り合う２枚のスラット７、７同士を結合し、これら両スラット７、７同士が折れ曲がらない様にしているので、上記傾斜角度が大きくはならない。この為、これら両スラット７、７の上下両端部が上記両ガイド溝２３、２６の内側面同士の間で突っ張る傾向になりにくく、これらスラット７の上下両端部と両ガイド溝２３、２６の内側面との間に作用する摩擦を小さく抑えられて、上記移動框２９を移動させる為に要する力が徒に大きくなる事を防止できる。
【００２８】
又、本実施例の場合には、上記移動框２９の移動に伴って、上記シャッタ１を前記戸袋ケース部２内に出し入れする為に要する力のより一層の低減を図るべく、上記下部ガイド溝２６の底面で上記戸袋ケース部２に隣接する部分、即ち、この下部ガイド溝２６の端部底面に、図１２〜１４に示す様な支承ローラ３７を設けている。この支承ローラ３７は、金属板をコ字形に曲げ形成して成る支持ブラケット３８に対し、屋内外方向（水平方向）に配置された枢軸３９を中心とする回転を自在に支持している。この様な支承ローラ３７の外周面は、上記下部ガイド溝２６と上記戸袋ケース部２との間で受け渡される、上記シャッタ１が通過する位置に設けている。
【００２９】
本実施例の場合には、上記支承ローラ３７を設ける事により、上記戸袋ケース部２と前記下枠６との間を移動する上記シャッタ１の下端縁を案内する様にしている。より具体的には、上記支承ローラ３７の上端面を、前記下側の軸素子１３ｂの下端部に設けたフランジ部１６（図５参照）の上面よりも少しだけ上方に位置させている。この構成により、上記シャッタ１のうちで上記フランジ部１６の周縁部に近い部分を、このフランジ部１６の上面よりも少しだけ上方に持ち上げ、このフランジ部１６の外周縁と上記シャッタ１の下縁とが擦れ合わない様にしている。
【００３０】
更に、図示の実施例の場合には、前記１対のシャッタ１、１の引き出し方向先端部を前記上枠５及び下枠６の中央部で停止させるべく、図１５〜１８に示す様な上部、下部両ストッパ機構４０、４１を設けている。これら両ストッパ機構４０、４１を構成する為に、前記移動框２９の上端開口部に上部ホルダ４２を、同じく下端開口部に下部ホルダ４３を、それぞれ装着している。合成樹脂を射出成形する等により造られたこれら両ホルダ４２、４３には、それぞれ上部ストッパローラ４４と下部ストッパローラ４５とを、屋内外方向に配置された水平軸を中心とする回転を自在に保持している。又、これら水平軸の両端部は、それぞれ上記両ホルダ４２、４３に内蔵した上部、下部支持ブラケット４６、４７に支持し、更にこれら両支持ブラケット４６、４７を圧縮ばね４８、４８により、上記移動框２９の上端面或いは下端面から突出する方向に押圧している。但し、上記両支持ブラケット４６、４７の昇降量は、上記移動框２９の上端面或いは下端面からの突出量が最も大きくなった場合でも、上記各ストッパローラ４４、４５が、上記上枠５の下面或いは下枠６の上面に近接対向しても接触しない様に、それぞれ規制している。
【００３１】
一方、上記上枠５の長さ方向中央部下面には上部止めブロック４９を、上記下枠６の長さ方向中央部上面には下部止めブロック５０を、それぞれねじ止め固定している。これら両止めブロック４９、５０はそれぞれ、上記各枠５、６の長さ方向中央部に、上記上枠５の下面或いは上記下枠６の上面から最も突出した上部止め壁５１或いは下部止め壁５２を形成している。又、これら両止め壁５１、５２の両側部分を両端部分よりも凹ませて、それぞれ１対ずつの上部保持凹部５３、５３或いは下部保持凹部５４、５４を形成している。更に、上記上部止めブロック４９の両端部下面或いは上記下部止めブロック５０の両端部上面には、それぞれこれら各ブロック４９、５０の両端縁に向かう程上記上枠５の下面或いは上記下枠６の上面からの突出量が少なくなる方向に傾斜した、上部ガイド傾斜面５５、５５或いは下部ガイド傾斜面５６、５６を形成している。
【００３２】
本実施例の場合には、上述の様な上部、下部両ストッパ機構４０、４１を設けている為、前記１対のシャッタ１、１の引き出し方向先端部を、上記上枠５及び下枠６の中央部で、容易且つ確実に停止させる事ができる。即ち、上記移動框２９に手を掛けて、上記両シャッタ１、１を引き出しつつ、この移動框２９を上記上枠５及び下枠６の中央部に移動させると、前記上部、下部両ストッパローラ４４、４５が、前記各圧縮ばね４８、４８を弾性的に縮めつつ、上記上部、下部両ガイド傾斜面５５、５６に乗り上げる。但し、これら両ストッパローラ４４、４５は、上記上部、下部両止め壁５１、５２を越えて移動する事はないので、上記シャッタ１、１の引き出し方向先端部を上記上枠５及び下枠６の中央部で、容易且つ確実に停止させる事ができる。しかも、この状態では、上記両ストッパローラ４４、４５が、上記各圧縮ばね４８、４８の弾力に基づいて、上記上部、下部両保持凹部５３、５４内に嵌り込む。この為、上記シャッタ１、１の引き出し方向先端部の位置が不用意に移動する事はない。施錠時には、この状態で、屋内側でこれら両シャッタ１、１同士を結合するか、或いはこれら両シャッタ１、１と上記上枠５或いは上記下枠６とを結合する。
【００３３】
又、前記下部ホルダ４３には、上記下部ストッパローラ４５に加えて、屋内外方向に配置された水平軸を中心として回転する案内ローラ５７を設置している。そして、この案内ローラ５７の外周面を、上記下枠６の上面に転がり接触させる事により、上記移動框２９の重量を支え（上記シャッタ１の先端部の重量を支え）、このシャッタ１の引き出し及び巻き取りを軽い力で行なえる様にしている。
【００３４】
上述の様に構成する、本実施例の構造の組立手順は、特に限定しないが、例えば、前記両戸袋ケース部２、２の本体部分は、上記両シャッタ１、１、これら両シャッタ１、１を巻き付けた巻き取り軸１３、この巻き取り軸１３の両端部を回転自在に支持した上部、下部両ブラケット２０、２１を組み付けるのに先立って、上記上枠５及び下枠６と共に、前記壁３の屋外側面で前記窓開口４の側方部分にねじ止め固定する。上記各部材１、１３、２０、２１は、上記両戸袋ケース部２、２の本体部分を当該部分に固定した後、これら両戸袋ケース部２、２内に収納する。そして、これら両戸袋ケース部２、２の開口部を、カバー５８（図２、６参照）により塞ぐ。
【００３５】
尚、上述の実施例では、戸袋ケース部２と下枠６との間を移動するシャッタ１の下端縁を案内する為の支承ローラ３７を、各シャッタ１毎に１個のみ設けた構造に就いて示した。これに対して、図１９に示す様に、支承ローラ３７、３７を各シャッタ毎に２個ずつ設ければ、このシャッタの下端縁の支持を、より安定させる事ができる。
【図面の簡単な説明】
【００３６】
【図１】本発明の実施例を示す、シャッタ式雨戸装置を屋外側から見た正面図。
【図２】図１の拡大Ａ−Ａ断面図。
【図３】同拡大Ｂ−Ｂ断面図。
【図４】同拡大Ｃ−Ｃ断面図。
【図５】戸袋ケース部内に設けたシャッタの巻き取り機構部分の側面図。
【図６】図５のＤ−Ｄ断面図。
【図７】図５の上部に相当する部分の断面図。
【図８】図７の下方から見た図。
【図９】同Ｅ−Ｅ断面図。
【図１０】上部ブラケットを取り出して示す底面図。
【図１１】図１０のＦ−Ｆ断面図。
【図１２】下部ガイド溝への支承ローラの設置状態を示す、下枠の端部での、図４のＧ部に相当する図。
【図１３】支持ブラケットに支持した支承ローラの斜視図。
【図１４】同じく正面図及び側面図。
【図１５】図４の上部に相当する部分断面図。
【図１６】図１５の側方から見た図。
【図１７】図４の下部に相当する部分断面図。
【図１８】図１７の側方から見た図。
【図１９】支持ブラケットに支持した支承ローラの別例を示す正面図及び平面図。
【符号の説明】
【００３７】
１    シャッタ
２    戸袋ケース部
３    壁
４    窓開口
５    上枠
６    下枠
７    スラット
８    上部ガイド切り欠き
９    下部ガイド切り欠き
１０ａ、１０ｂ  折れ曲がり板部
１１    屋外側係合湾曲部
１２    屋内側係合湾曲部
１３    巻き取り軸
１３ａ、１３ｂ  軸素子
１４    ねじ
１５    ゼンマイ
１６    フランジ部
１７    ラジアル転がり軸受
１８    スラスト転がり軸受
１９    係止スリット
２０    上部ブラケット
２１    下部ブラケット
２２    係止突片
２３    上部ガイド溝
２４    上部ガイド突条
２５    上部シール材
２６    下部ガイド溝
２７    下部ガイド突条
２８    下部シール材
２９    移動框
３０ａ、３０ｂ  係止凹溝
３１    主体
３２    補助体
３３    ねじ
３４    第一の係止突条
３５    第二の係止突条
３６    第三の係止突条
３７    支承ローラ
３８    支持ブラケット
３９    枢軸
４０    上部ストッパ機構
４１    下部ストッパ機構
４２    上部ホルダ
４３    下部ホルダ
４４    上部ストッパローラ
４５    下部ストッパローラ
４６    上部支持ブラケット
４７    下部支持ブラケット
４８    圧縮ばね
４９    上部止めブロック
５０    下部止めブロック
５１    上部止め壁
５２    下部止め壁
５３    上部保持凹部
５４    下部保持凹部
５５    上部ガイド傾斜面
５６    下部ガイド傾斜面
５７    案内ローラ
５８    カバー
５９    ドラムチューブ
【図１】
2006132269.tif 000003
【図２】
2006132269.tif 000004
【図３】
2006132269.tif 000005
【図４】
2006132269.tif 000006
【図５】
2006132269.tif 000007
【図６】
2006132269.tif 000008
【図７】
2006132269.tif 000009
【図８】
2006132269.tif 000010
【図９】
2006132269.tif 000011
【図１０】
2006132269.tif 000012
【図１１】
2006132269.tif 000013
【図１２】
2006132269.tif 000014
【図１３】
2006132269.tif 000015
【図１４】
2006132269.tif 000016
【図１５】
2006132269.tif 000017
【図１６】
2006132269.tif 000018
【図１７】
2006132269.tif 000019
【図１８】
2006132269.tif 000020
【図１９】
2006132269.tif 000021